(57)【要約】      （修正有）【課題】建造物の固定型物入れ押し入れ収納を天井下上、屋根空間内に移動できる画期的な移動式収納ボックスを提供する。【解決手段】建造物の室内を広く使用するため固定型、物入れ押し入れ収納を天井下上屋根裏に建造物の適所に収納ボックス外枠１７、枠ガードボール１９、収納ボックス内枠１５、安全戸１６、感知装置、伸縮ガードレール１４を設置し滑車１２移動式器具１１を操作リモコン１８により安全に正確に移動を可能とする移動式収納ボックスである。【選択図】図１
2008231895.tif 000002
【特許請求の範囲】
【請求項１】
移動式収納ボックスは両側面板と上側面板、下側面板、裏側面板と安全戸とで一つのボックスに構成されボックスの適所に伸縮ガードレール等が設置され、移動式器具により上げ下げ出し入れ等が安全、正確かつ済みやかにできることを特徴とする移動式収納ボックスである。
【請求項２】
移動式収納ボックスは内枠安全戸と伸縮ガードレール等が一体化に設置し上げ下げ出し入れ等を安全に適切に作動を可能にするため適所には感知装置が設置され、自動的に正確に感知装置が作動し操作リモコンが移動、留めるの機能を発揮する。また、収納ボックスに物体が接触した場合にも安全のため操作リモコンが移動中止の機能を発揮することを特徴とする移動式収納ボックスである。
【請求項３】
移動式収納ボックスは内枠と伸縮ガードレール等が固定すると共に外側枠なしの移動式器具とが一体化して上げ下げ出し入れ等が可能になることができることを特徴とした移動式収納ボックスである。
【請求項４】
移動式収納ボックスは収納ボックス外枠と内枠が一体化になり伸縮ガードレールと移動式器具により上げ下げ出し入れが可能になることができることを特徴とした移動式収納ボックスもある。
【請求項５】
建築物屋外又は屋内適所に設置した移動式収納ボックスを建築物の天井、壁と平行に設置し、手動式、電動式、油圧式といったすべての移動式器具を用いて、現場に合致した移動式器具を選定し、上げ下げ出し入れ等を天井、屋根裏空間に移動収納することができる移動式収納ボックス住宅方法。
【請求項６】
建築物屋外又は屋内の天井、屋根、壁空間内の適所に移動式収納ボックスを、天井、壁面に平行に設置し、移動式器具は収納の重量に合致したものを選定する。又、小屋組み、小屋伏しも収納重量に合致した木材、鉄骨等を選定、構成する。天井、小屋裏壁、適所に設置した移動式収納ボックスにより上げ下げ出し入れ等を安全に適所に移動することを可能としたことができることを特徴とした移動式収納ボックス住宅方法。
【請求項７】
移動式収納ボックスはもちろん工場生産ができるが現場で屋外、屋内の空間内の適所に外枠、内枠、伸縮ガードレール、移動式器具を一体化に構成することも可能な特徴を持つ移動式収納ボックス住宅方法。
【発明の詳細な説明】
【技術分野】
【０００１】    この発明は建築物の移動式収納ボックスに関するあらゆる分野をその技術分野とするものであり、建築物の天井、天井裏、壁面に設けられる移動式収納ボックス装置を設置する分野はもちろんのこと、その製造及び設置に必要となる設備器具類を提供販売する分野からそれら資材や機械装置部品類に必要となる素材、たとえば木材、石材、各種繊維類、プラスチック、各種金属材料等を提供する分野、それらに組み込まれる電子部品やそれらを集積した制御関連機器の分野、各種計測器の分野、当該設備器具を動かす動力機械の分野そのエネルギーとなる電力やエネルギー源である電気、オイルの分野といった一般的に産業機械と総称されている分野、さらにはそれらの設備器具類を試験研究したり、それらの展示、販売、輸出入にかかわる分野、将来それらの使用の結果やそれを造るための設備器具類の運転に伴って発生するごみ屑の回収、運搬等にかかわる分野、それらのごみ屑を効率的に再利用するリサイクル分野などの外、現時点で想定できない新たな分野までと関連しない技術分野はないほどである。
【背景技術】
【０００２】  （着目点）
最近の東北地方の住宅建築需要は、景気を反映して落ち込んでいるだけでなく住宅を必要とする多くの施主が、それまでの施工業者任せの姿勢から脱却し経済性はもとより、その構造、機械上についても明確な主義主張を持ち始め、それら主義、主張に基づいた十分な査定をすることもあって、購入にも慎重さがかかわってきており、そのため住宅関連業界では、それまでの格好の良さや最先端設備を組み込んで一見快適な生活が実現されるかのごとき錯覚を起こさせるようにした住宅内容だけではこれら施主を説得できないものと予見し構造強度や経済性についてはもちろんのこと、快適な生活を実現するために必要な各種機能上の対策についても、これまで以上の見直しを迫られ各方面でさまざまな開発、研究が進められてきている。【０００３】    たとえば住宅の居住空間の快適さを維持する上で重要な要素の一つである室内の間取りを考えた場合、室内も大きく、押し入れ、収納、又物入れも取りたくなる施主が多いのが現実である。室内を広くし、押し入れ、収納、物入れを多く取ればおのずと土地も大きく必要となってくる。住宅地となれば東北、都市、大都市とおのずと高価な土地を、大きく購入しなければならず経済的な配慮をしなければならなくなっているのが現実である。今後の住宅建築において極めて重要な課題になるものと予想される。【０００４】  （従来の技術）
今日までの押し入れ、収納ユニット、物入れは固定型が多く、それが通常であったため、室内、押し入れ、物入れを広くとり、その上駐車場や庭をも考えた場合どうしても建坪、土地の坪数が増え、高価な土地をも購入せざるを得ないのが現実である。
【特許文献１】
【発明の開示】
【発明が解決しようとする課題】
【０００５】  （問題意識）
以上のような状況において、現実に今日も押し入れ、物入れ収納は室内に固定してあるため室内を広く取れず、土地も大きく購入せざるを得なかったため新たな技術的手段についての開発、研究が必要となった。【０００６】  （発明の目的）
そこでこの発明は上記した問題意識の下、建造物の部屋単位の区画に応じて配置された押し入れ、物入れ、収納、固定型を移動でき快適な室内居住空間を実現することはできないものかと継続して幾多の試作実験を繰り返し、様々に試行錯誤を重ねてきた結果、遂に茲にきてその完成をみるに至ったものであり、以上において代表的な実施例も取り上げながら、その構成の詳細を示していくこととする。
【課題を解決するための手段】
【０００７】  （発明の構成）
この発明の移動式収納ボックスは、基本的に以下に示すとおりの構成から成り立っている。即ち建造物の部屋単位の区画に応じて配置されている押し入れ、物入れその他収納を天井、壁、床の空間内に移動器具又、伸縮ガードレール等を設置し上げ下げ出し入れ等の移動を可能とした移動式収納ボックスである。【０００８】    この基本的な構成の移動式収納ボックスは両側面板と上下側面板、裏側面板、感知装置と安全戸で一つのボックスに構成され、ボックスには伸縮ガードレール等が設置され家屋内の適所に滑車を用いて移動式器具により円滑に上げ下げ出し入れ等の操作が可能となる。又、移動式収納ボックスは家屋内の天井、壁の空間内に収納するため小屋伏、屋根伏、移動器具は荷物の荷重に合ったものを選定し使用する。【０００９】  （発明の効果）
既存家屋で物入れ、押し入れ収納がないといったような不便な既存の住宅にでも天井下上屋根裏空間内に移動式収納ボックスの取り付けが可能であるため建物構造強度上の安全を維持し設置することにより居住者の生活に支障をきたすことがないようにするという効果が得られることになる。【００１０】    特に建築物において六畳間に固定型押し入れが二つあった場合、移動式収納ボックスにすれば八畳間の室内空間ができ、使用目的に合った収納空間もできる。又室内の居住空間が広くなるため土地の有効利用ができ、非常に優れた特徴を有することとなる。【００１１】    移動式収納ボックスは上げ下げ出し入れ等が操作リモコンで容易に安全にできるため荷物の出し入れ等が老人、子どもでも容易に有効活用することが可能となり、ますますの期待ができるものとなる。
以下では、図面に示すこの発明を代表する実施例と共に、その構造について詳述することとする。
【実施例１】
【００１２】    図１の二階建て建築物に設置された移動式収納ボックス大小天井裏屋根裏空間内に合わせ、収納ボックス１５収納ボックス１７安全戸１６と伸縮ガードレール１４滑車１２ワイヤー１３の設置と上げ下げ出し入れをする操作リモコン１８を適所に取り付けた代表的な一実施例を縦断化して示す正面図である。【００１３】    移動式収納ボックスは図３に示すように裏側板Ａ両側板Ｄ上側板Ｃ下側板Ｂ棚板Ｅに安全戸１６と適所に感知装置２１を取り付ける。又伸縮ガードレール１４等になり、図２のように伸縮ガードレール１４は、移動式器具１１とワイヤー１３滑車１２によりスムーズな上げ下げが可能になる。又枠ガードボール１９により収納ボックス内枠１５だけの移動式収納ボックスもあるが、収納ボックス外枠１７内に摩擦抵抗発生を防止すると共に正確に安全に収納を可能とするものである。又図３のように家屋空間内場所によって収納ボックス外枠１７なしの収納ボックス内枠１５だけの移動式収納ボックスもあるが、収納ボックス外枠１７を使用したほうが望ましい。【００１４】  （実施例の効果）
移動式収納ボックスを家屋内に設置することにより土地、室内が広く使用できるため建築面積は変わりなく同じ坪数で建築物の外観をもそのままで維持し続けられるという特徴を有する、優れた効果が得られることとなる。
【図面の簡単な説明】
【００１５】
【図１】二階建て建築物に設置された移動式収納ボックスの天井裏屋根裏構造を縦断化して示す正面図である。
【図２】移動式収納ボックスの内側、外側と天井屋根裏要部を断面化して示す正面図である。
【図３】天井断面図と移動式収納ボックスの透視図である。
【符号の説明】
【００１６】      １  床
２  柱
３  天井
４  胴差
５  桁
６  棟木
７  梁
８  頭ツナ木
９  受け木
１０  垂木
１１  移動式器具
１２  滑車
１３  ワイヤー
１４  伸縮ガードレール
１５  収納ボックス内枠
１６  安全戸
１７  収納ボックス外枠
１８  操作リモコン
１９  枠ガードボール
２０  収納ガードレール
２１  感知装置
Ａ  裏側面板
Ｂ  下側面板
Ｃ  上側面板
Ｄ  両側面板
Ｅ  棚板
【図１】
2008231895.tif 000003
【図２】
2008231895.tif 000004
【図３】
2008231895.tif 000005